(57)【要約】      （修正有）【課題】海中発電船の最大の懸案事項である深海海中部分への継続された排水方法を模索しているものであり、今般の申請に依るより新段階への入口となる事と願っているものであり、今後共次々と最良の新方法が見い出される事に依りより大進歩となり殆んど自前のエネルギーを持たない我国が近い将来世界有数の資源国家になる可能性が秘められた海中発電の稼動開発の第一歩が始動がされる事となる。【解決手段】出来るだけ大容量排水容器海中発電船の海中容器の設置を行ない、その膨大な海中空間部分の強大な浮力の活用に依る半島、岬等の陸地陸中部分方向へ「刳り貫く」形で海底から引張って固定さす方法と同様に本陸中内天井部分の活用を行ない強固な海中発電船の完全固定設置方法を研究するものとする。【選択図】図１
2014159803.tif 000002
【特許請求の範囲】
【請求項１】
発電済貯留水槽内からの降下排水の侵入を、順次「逆噴出海水調整室」等より「海中空間（Ｂ）内噴出排出口」部分より次々と深海外海へ排出をする事となる。
そして「外海排出海中空間装置内排水放出扉」にて排水量の調整を行ない乍ら排出を行なうものである。
「海中空間（Ｂ）内噴出排出口」よりの排出水が図１の通り「内部海中排出用海中空間（Ｂ）」内には常時高圧空気が充満しているが、「海中空間（Ｂ）内噴出排出口」より次々と排出噴出される排水に依り、上記設備内の高圧空気は行き場を失ない「海中空間（Ｂ）内内側喫水線設置調整装置」を乗り越えて次々と「海中空間（Ｂ）内深海外海競合喫水線」部分が、深海方面に押し下げられる形となり、外側外周部分である「海中空間（Ａ）内喫水線」部分へとどんどん近づいて行く事となる。
当然その時には「海中空間」（Ｂ）高圧噴出機」の稼動が、行なわれており、「逆噴出海水調整室」よりの排水が「海中空間（Ｂ）内噴出排出口」より次々と継続排出がなされ、その噴出排出力は強烈な湧出水となって次々と「海中空間（Ｂ）内深海外海競合喫水線」部分より次々とその外周部分である「海中空間（Ａ）内喫水線」方向へ幾筋もの排水伏流筋となって深海外海部分に放出の継続となる。
当然本海中発電船内の上部貯留水槽内には次々と大量の排水が流入して来る為に、前記説明の排出方法も当然排出の継続が出来なければ全く無意味となる為に、何故大量の排水が次々にと深海外海部分に排出されるかを次の通り説明する。
まず大量の排水は大気圧１気圧圏内の自然の原理である万有引力の活用である高い処から低い処に流下する力を活用しその強弱、停止等は「逆噴出海水調整室」と「外海排出海中空間装置内排水放出扉」の開閉調整と「海中空間（Ｂ）内噴出排出口」よりのみの噴出排水とする為にこの部分の排出口は常時排海水中に存在する事となり、深海海水の逆侵入等とは全く関係が無い事が理解されるものとなる。その予防の為の「海中空間（Ｂ）内内側喫水線設置調整装置」の設置に依り完壁な事となる。
そして何故大量の排水が次々と深海外海部分へと継続排出されるのかを詳細に次の通り説明する。
誰でも知っている通りお月さんは地球の引力に依り強力に引張られているものであり、海中海水も全て地球の引力に依り地球の中心部方向に向かって引張られているものである。
そして海中部分での水圧は当然強力ではあるが、果たして何に対して強烈に働くのであろうかと思案した時に、深海海中空間部分の存在自体に対しては強烈な海中水圧が懸かる事はよく理解が出来るものである。
しかし一方で誰もが理解出来る時は仮に沈没船内等に海水の侵入不能な海中空間が出現するとすればその室内に酸素が存在する間は簡単に理解される事となる。
充分に人間は強烈な水圧等を感じる事なく存在する事となる。
そしてその空気と海水は短時間では全く融合しない事も理解されるものであり、仮に排海水を質量が大きい重量物体と想定し、その重い物体が流動物として海中空間内の強力な空気圧内に侵入が可能かどうかを考察した場合に質量が大きい程侵入が厳しい事は事実であるが、本案件の如く充分な放出落差に依る継続された大容量押出排出力があれば、海中高圧空気内への直接の侵入は当然不可能であるが、地上での雨が僅かのコンクリート等の隙間に侵入する事と同様に、本案件に於ける排水の深海海中部分への排出力は、継続された地球の引力の作用に依る強力な高低差のある排出落差となり、各海中空間喫水線部分は完全な深海海中部分であり本喫水線部分又は直接深海海中に次々にと排出されるものである。
それと同時にその排水が流出するもう一つの大きな理由は先般述べた通りに深海海中部分内に対しての侵入は完全に不可能としても、現実には次々と排出放出が継続されている「海中空間（Ｂ）内噴出排出口」部分での排水を勘案すれば、排出海水が押出し流動している限り、必ず確実に強力な地球の引力が働いて地球の中心部方向へと導かれるものであり、普通の運動方程式に於いても重い物体（排水量）ほど加速はしにくい事とはなるが、上方海中発電船内よりの大重量降下排出力の継続となれば必ず少しづつではあるが確実に深海海中部分へと幾筋もの排出伏流水の如く排出されて行く事となる。
そしてその排海水は自然界での誰でも知っている「慣性の法則」の如く「動いている物体（継続された排水の伏流水）は力をかけなくても同じ速度で動きつづける」等慣性の法則に近い状態が深海海中部分にも現出する事となり、既に「海中空間（Ｂ）空間保持高圧空気噴出装置」の活用に依り、ほぼ内側部分の「海中空間（Ｂ）内喫水線」部分との調整が行なわれほぼ各々海中空間内喫水線部分の水位差が無くなり、「海中空間（Ｂ）内喫水線」部分よりの排水が次々と外周外側部分の「海中空間（Ａ）内喫水線」部分から（Ａ）内喫水線部分の深海水面へと自然な姿での幾筋もの伏流水路となって排水の継続が行なわれるものである。
又外周部分に設置がされる海中空間（Ａ）部分の説明は排水を外海に排出さす時に排出の「緩衝地帯」部分となり、排出時のその時の（Ａ）（Ｂ）各々喫水線の上下差力関係は排出力に全く影響は無く、より安全確実の為であり、「図１」の通り深海海水の本排出装置内への逆侵入噴出等は「海中空間（Ｂ）内噴出排出口」部分と「海中空間（Ｂ）内排水位調整装置」にて円滑排出がされる事となると、即時に一番外側部分に設置がされた「海中空間（Ｂ）内内側喫水線設置調整装置」と「海中空間（Ｂ）空間保持高圧空気噴出装置」と「排出擁護筒」の稼動を行ない、各（Ａ）（Ｂ）内海中空間の安定確保を行ない「海中空間（Ｂ）内深海外海競合喫水線」部分の排海水位と外周部分の「海中空間（Ａ）内喫水線」部分との水位差縮下の為に「海中空間（Ａ）空間外海喫水線保持調整装置」と「高圧空気排出装置」の活用を行ない乍ら、海中空間各々喫水線の調整を進め、出来るだけ「海中空間（Ｂ）内噴出排出口」よりの排出された排水が、次々と深海外海へと湧出しながら継続排出がなされるものであり、一番心配がされる深海海水の逆侵入噴出等は発電船貯留排水槽より排出される落下排水の中には大気圏内１気圧内よりの大量の空気の注入も大変簡単な事であり、降下排水は巨大な滝の落下状態となる。
よって逆噴出等は全く起こり得ず各々設置装置の稼動に依る排水放出深度差等に依る流動降下排出力の継続となり、富士山の伏流水が麓の小川より自然に湧き出して来るが如く深海外海に継続放出される事と同時に本申請の最大の発見事項である「海中空間（Ｂ）内噴出排出口」より噴出する排水は従来であれば限定された本噴出口より直接深海外海部分への排出となるが本発明案件は全く違い、その排水は排出口周囲全面に設置がされた「海中空間（Ａ）（Ｂ）喫水線」部分への継続湧出排水となりその各喫水線の下部分にも前記の通りの各々伏流水が現出し、従来の排出口部分のみの直接排出方法とは全く違い数百倍の排出口の広さと深みが確保される排出方法となる為に、深海水圧に対する排出としては全く想像も出来なかった深海海中排水が継続された大容量排水として出現する排水方法装置。
【発明の詳細な説明】
【技術分野】
【０００１】  深海海中に２段階の海中空間を設け海中発電船よりの排水を次々とほぼ自然排出の状態で深海海中に継続排出を行なうものであり、２段階の海中空間設置に依り排水放出時での排出口部分が各海中空間の働きに依り大きく広がる事に依り深海海中への排出の負荷の抵抗と大幅な排出口の拡大を狙った排出方法である。【０００２】  本発明は人間の恐怖の対象である深海での排出方法を考察したものであり従来の思考とは大きく違う新方法での深海海中排出方法となる。【０００３】  以上の通り図１にて説明する。【０００４】  図１の通り広大な海中空間が必要となるが、この部分の上方設置の海中発電船内の「貯留排水槽」内には大容量排水が常時流入し外海へ排出されるが「逆噴出海水調整室」が大きな働きをする事となる。継続された降下排圧流が「海中空間（Ｂ）内噴出排出口」部分より海中空間（Ｂ）内喫水線内部分へ次々と排出される事となり、発電船内貯留水槽内の排水を含めると数千ｔ、数十ｍの排出圧力落差となり、強力な排出圧力が海中空間（Ｂ）内深海外海競合喫水線部分に現出し、すぐ外側部分の「海中空間（Ａ）内喫水線深海外海部分と深海海中へと次々と押し出される形で溶け込み乍ら消えて行く事となる。
そしてその時に特筆すべき事は当然上方設置の海中発電船全体は数十本と数百万ｔの重量物と海底固定装置ロープ等にて地上での数十階建のビルと同様に大波、台風等ではより多くの浮力部分を海中部分に潜入を行ない動揺しない様にすれば強力な浮力がいかに強いかの同時証明となり、本各海中空間設備も全く動じる事の無い強固な固定設備設置となる。
又特筆すべき事は「海中空間（Ｂ）内噴出排出口」より継続排出される排水の深海外海への排出方法は従来の既成概念である強烈な排出抵抗のある海中へ直接の排出等では全く無く、一度排出装置内の海中部分に排出を行ない、その排出部分に設定設置がされた広範囲の海中空間喫水線部分より次々と深海海中に排出されるものであり、何も強引な強烈な排出方法とは全く違い自然と増加して来る排水量の為に人工的な各海中空間設置に依る各喫水線部分の創出を行なう事に依り従来の狭い排出口部分の排出とは違い砂地に雨が滲み込むが如く広範囲な海中空間喫水面部分が充分な排出面となり排出力が飛躍的に増加する事に依る軽快な大容量排水を狙った排出装置である。【０００５】
【特許文献】  特にありません。
【発明の概要】
【発明が解決しようとする課題】  いかに大量の排水を確実に海中に放出出来る方法と同時に大きな労力を懸けずに出来るだけ自然の原理を活用すべきと思い１枚のビニール袋に水を満杯にし当然空気は完全に抜き数十ｍ海底に沈めても何ら全く異状等は当然無く、この事実に依り深海海中部分の排出口周辺に於いて空気部分の侵入が無ければ必ず水深圧等の抵抗は起こり得ず、常に地球の強力な引力に依るゆったりとした海中海水の動きの中で殆んど自然な姿の中で静かにゆったりと押し出される形で連続された排出が可能となる様に思考したものである。
【課題を解決するための手段】  海中排水での最大の敵は海中部分に発生する空気の塊を徹底的に除去を行なえばどれだけ大量の排水でも全て普通の落ちついた海中海流となり、何かの形で流路の確保さえ行なえば自然な伏流水路が出現し必ず静かに流れ乍ら海中に消えて行く事を私自身が何度も小さな実験装置で確認したものであり、空気中に風が吹く現象と全く殆んど全じ自然現象を活用するものである。
【発明の効果】  現在日本のエネルギーの自給率は驚く程の数字であり、今後共いろいろな新エネルギーが創出発見されると思われるが広大な島国である日本が海上、海中を活用利用した資源国家となれば、今後は急速な速度で海上海中開発となり、数年後には国内で消費される殆んどの電力の創出と海中資源の開発、そして海中発電の世界進出又十数年後には海中数百ｍ下に新幹線の施設が行なわれ海中の新時代が到来する。
【図面の簡単な説明】
【図１】海中発電船の底辺部分に図１の通りの排出装置の設置を行ない、「発電船内排水貯留水槽」と「逆噴出海水調整室」内の排水を継続した形で「海中空間（Ｂ）内噴出排出口」より海中空間（Ｂ）部分へ噴出排水を行ないその排出の勢いを持続さす為に海中空間（Ｂ）内の「海中空間（Ｂ）内深海外海競合喫水線」部分より外海へ排出を行ない、同時に次々にて湧出して来る大量の排水を処理する為にその外側部分に同様に「海中空間（Ａ）内喫水線深海外海部分」を設置をし、「海中空間（Ｂ）」内に派生する排水伏流水のより広範囲の排出口を確保する事とする。
【発明を実施するための形態】
［図１］図１の通り継続排水がされる「海中空間（Ｂ）内噴出排出口」からの排出力は上方海中発電船内貯留水槽よりの数十ｍの排出落差の自然な万有引力の働きに依り強力な排出力が現出する事となる。そしてその排出力は発電が継続される時は自ずと排出も同様の排出力で継続が行なわれる事となる。
そして大切な自然界の働きとしてその降下排出水の内には大気圏内１気圧よりの排水落下の為に大量の空気の注入も簡単な事であり、「海中空間（Ｂ）内噴出排出口」よりの降下排出水は、多量の空気の侵入落下の為に巨大な滝の落下状態と同様となり、「海中空間（Ｂ）内喫水線」部分には排水の流入と同時に大量の空気も流入して来る事と同時に強烈な威力の自然の排出力の現出ともなる。
そして侵入して来る大量の排水と空気はまず空気は絶体に排水とは混ざらない為に多量に増加する事となるが、図１内左上部部分に設置がされた「高圧空気排出口装置」に依り調整がされる事となる。
そして段々と各々調整装置の働きに依り海中空間（Ａ）（Ｂ）各々喫水線部分が拮抗設置される事となり、ほぼ同じ状態での排出量の排出量の継続が行なわれる事となれば「海中空間（Ｂ）内噴出排出口」より噴出した排水は従来の排出口の数百倍の広さのある、そして伏流水等の発生も可能な事となり、厖大な排出量と排出力を持つ本海中空間（Ａ）（Ｂ）各々喫水線部分へと排出が行なわれる事となる。
【図１】
2014159803.tif 000003